(57)【要約】【課題】  効率よく検眼を行うことができる検眼装置を提供する。【解決手段】  光学素子を検査窓に切換え配置して被検眼の屈折力を自覚的に検査する検眼装置において、検査窓に配置する光学素子を切換えるための操作信号を検者が入力するための検者用コントローラと、軸が互いに直交すると共に屈折力の絶対値が等しく、かつ極性の異なる２枚の円柱レンズと光学的に等価なクロスシリンダレンズと、該クロスシリンダレンズの軸を回転する駆動手段と、クロスシリンダレンズの軸を９０度回転する前の第１状態と９０度回転した後の第２状態とを切換えるための切換信号を入力する被検者用コントローラと、前記クロスシリンダレンズの回転状態を検者が確認可能とするために、前記被検者用コントローラから入力された切換信号に基づいて、前記検査窓に配置された前記クロスシリンダレンズが第１状態と第２状態の何れであるかを表示する表示手段と、を設けた【選択図】      図６
2006015083.tif 000002
【特許請求の範囲】
【請求項１】
球面レンズ及び乱視レンズを含む光学素子を検査窓に切換え配置して被検眼の屈折力を自覚的に検査する検眼装置において、前記検査窓に配置する光学素子を切換えるための操作信号を検者が入力するための検者用コントローラと、軸が互いに直交すると共に屈折力の絶対値が等しく、かつ極性の異なる２枚の円柱レンズと光学的に等価なクロスシリンダレンズと、該クロスシリンダレンズの軸を回転する駆動手段と、前記検者用コントローラとは別に設けられ、被検者が操作するための被検者用コントローラであって、前記クロスシリンダレンズの軸を９０度回転する前の第１状態と９０度回転した後の第２状態とを切換えるための切換信号を入力する被検者用コントローラと、前記クロスシリンダレンズの回転状態を検者が確認可能とするために、前記被検者用コントローラから入力された切換信号に基づいて、前記検査窓に配置された前記クロスシリンダレンズが第１状態と第２状態の何れであるかを表示する表示手段と、を設けたことを特徴とする検眼装置。
【請求項２】
請求項１の被検者用コントローラは、前記クロスシリンダレンズの第１状態と第２状態とを選択するための２つの操作スイッチであって、Ｒ／Ｇ検査時に赤色視標と緑色視標のいずれが良く見えるかを被検者が応答するための選択スイッチとして兼用される２つの操作スイッチを有し、検眼装置には、乱視検査段階とＲ／Ｇ検査段階とを切換える検査段階切換え手段と、Ｒ／Ｇ検査段階の切換え信号及び被検者により操作された前記２つの選択スイッチによる選択信号に基づいて検査窓に配置された球面レンズの度数を所定のステップで調整する度数調整手段と、を設けたことを特徴とする検眼装置。
【発明の詳細な説明】
【技術分野】
【０００１】
本発明は、被検眼の屈折力を自覚的に検査する検眼装置に関する。
【背景技術】
【０００２】
検査窓を有する左右のレンズ室ユニットを持ち、検査窓に種々の光学素子を切換え配置して、被検眼の屈折力を自覚的に検査する検眼装置が知られている。この種の検眼装置ににおいては、被検眼の乱視度数及び乱視軸の検査方法として、軸が互いに直交すると共に屈折力の絶対値が等しく、極性の異なる２枚の円柱レンズと光学的に等価なクロスシリンダレンズ（以下、ＸＣレンズとする）を使用する。この場合、被検者に点群視標を呈示した状態で、検者のコントローラ操作により、ＸＣレンズを反転（ＸＣレンズの軸を９０度回転）させ、その反転前後での視標の見え方を被検者に応答してもらう。そして、被検者からの応答に応じて、検者が検査窓に配置される乱視レンズを調整していき、ＸＣレンズの反転前後での見え方が同程度になるようにして、乱視度数及び乱視軸の決定がなされる（特許文献１参照）。
【特許文献１】特開２００２−３４９１７号公報
【発明の開示】
【発明が解決しようとする課題】
【０００３】
しかしながら、従来装置においては、検者がコントローラを操作してＸＣレンズの反転を行っていたため、切換えのタイミングは検者本意であった。そのため、検者の反転操作に被検者の比較動作が追いつけず、応答が不正確となるような場合があった。反転前後での比較が不十分であると被検者が感じた場合には、検者は何度も反転操作を行ったり、被検者も再度の反転操作を検者に依頼したりする必要があり、検者と被検者双方にとって手間であるとともに、検査時間が長くなる。また、レッドグリーン検査等においても、被検者の見え方の応答を毎回得て、検者がコントローラを操作するのは手間であり、被検者に何度も質問する時間を要する。
【０００４】
本発明は、上記問題点を鑑み、効率よく検眼を行うことができる検眼装置を提供することを技術課題とする。
【課題を解決するための手段】
【０００５】
（１）  球面レンズ及び乱視レンズを含む光学素子を検査窓に切換え配置して被検眼の屈折力を自覚的に検査する検眼装置において、前記検査窓に配置する光学素子を切換えるための操作信号を検者が入力するための検者用コントローラと、軸が互いに直交すると共に屈折力の絶対値が等しく、かつ極性の異なる２枚の円柱レンズと光学的に等価なクロスシリンダレンズと、該クロスシリンダレンズの軸を回転する駆動手段と、前記検者用コントローラとは別に設けられ、被検者が操作するための被検者用コントローラであって、前記クロスシリンダレンズの軸を９０度回転する前の第１状態と９０度回転した後の第２状態とを切換えるための切換信号を入力する被検者用コントローラと、前記クロスシリンダレンズの回転状態を検者が確認可能とするために、前記被検者用コントローラから入力された切換信号に基づいて、前記検査窓に配置された前記クロスシリンダレンズが第１状態と第２状態の何れであるかを表示する表示手段と、を設けたことを特徴とする。
（２）  （１）の被検者用コントローラは、前記クロスシリンダレンズの第１状態と第２状態とを選択するための２つの操作スイッチであって、Ｒ／Ｇ検査時に赤色視標と緑色視標のいずれが良く見えるかを被検者が応答するための選択スイッチとして兼用される２つの操作スイッチを有し、検眼装置には、乱視検査段階とＲ／Ｇ検査段階とを切換える検査段階切換え手段と、Ｒ／Ｇ検査段階の切換え信号及び被検者により操作された前記２つの選択スイッチによる選択信号に基づいて検査窓に配置された球面レンズの度数を所定のステップで調整する度数調整手段と、を設けたことを特徴とする。
【発明の効果】
【０００６】
本発明によれば、正確な乱視検査を効率よく行うことができる。また、被検者に操作させるコントローラのスイッチ構成を複雑にすることなく、Ｒ／Ｇ検査を効率良く進めることができる。
【発明を実施するための最良の形態】
【０００７】
以下、本発明の実施形態を図面に基づいて説明する。図１は本実施形態の検眼システム全体の構成を簡単に説明するための概略図である。
【０００８】
１は検眼装置本体であり、検眼装置本体１は左右対称な一対のレンズ室ユニット２と、この左右のレンズ室ユニット２を吊下げ支持する移動ユニット３と、を備える。左右のレンズ室ユニット２の筐体内部には、種々の光学素子を同一円周上に配置（保持）した複数のレンズディスクが回転可能に設けられ、光学素子が検査窓４に切換配置される。
【０００９】
図２は、左眼測定用のレンズ室ユニット２を上側から見た部分断面図である。１０は測定光軸であり、Ｅは被検眼を示す。レンズ室ユニット２の筐体５には、強球面レンズディスク１１、弱球面レンズディスク１２、第１補助レンズディスク１３、強円柱レンズディスク１４、弱円柱レンズディスク１５、第２補助レンズディスク１６がそれぞれ軸６を回転中心にして配置されている。各ディスクには同一円周上に開口と複数の光学素子が設けられている。各ディスクの外周にはギヤが形成されており、それぞれモータ１８ａ〜１８ｆにて光軸１０に配置する光学素子の切換えが行われる。図２において、４ａは検者側の検査窓４に配置された保護ガラス、４ｂは被検眼Ｅ側の検査窓４に配置された保護ガラスを示す。
【００１０】
強球面レンズディスク１１には３Ｄ単位の球面レンズが、弱球面レンズディスク１２には０．２５Ｄ単位の球面レンズが、それぞれ複数配置されており、球面度数が０．２５Ｄ単位で調整可能となっている。ディスク１４は強度数の円柱レンズ１４０を保持するものであり、−１．５０〜−７．５０Ｄの円柱レンズが１．５Ｄステップで設けられている。ディスク１５は弱度数の円柱レンズ１５０を保持するものであり、−０．２５〜−１．２５Ｄの円柱レンズが０．２５Ｄステップで設けられている。円柱レンズ１５０及び１６０は、後述する回転機構により光軸１０を中心にそれぞれ回転可能に設けられている。
【００１１】
第１補助レンズディスク１３には、分散プリズム、ピンホール（ＰＨ）、マドックスレンズ（ＭＲ）、緑フィルタ等の補助レンズが配置されている。第２補助レンズディスク１６には、クロスシリンダレンズ１７及び１８（ＸＣ）、±０．２５Ｄのオートクロスシリンダレンズ１９（ＡＸＣ）等が配置されている。クロスシリンダレンズ１７は、＋０．２５Ｄ円柱レンズと、−０．２５Ｄ円柱レンズとの円柱軸が直交して組み合わされたレンズであり、クロスシリンダレンズ１８は、＋０．５０Ｄ円柱レンズと、−０．５０Ｄ円柱レンズとの円柱軸が直交して組み合わされたレンズである。
【００１２】
図３はディスク１４、１５、１６に設けられた光学素子の回転機構を説明する図である。ディスク１４に保持される円柱レンズ１４０は、歯車を持つホルダ１４１により光軸１０を中心に回転可能にディスク１４に取り付けられている。ディスク１５に保持される円柱レンズ１５０は、歯車を持つホルダ１５１により光軸１０を中心に回転可能にディスク１５に取り付けられている。ホルダ１４１及びホルダ１５１の歯車は、軸６を中心に回転する太陽歯車１５３と共に噛み合っており、太陽歯車１５３に連結した歯車１５４、中間歯車１５５を介してモータ１５６の回転が円柱レンズ１４０及び円柱レンズ１５０に同時に伝達される。
【００１３】
また、ディスク１６に保持される補助レンズ１６０の内、ＸＣレンズ１７及び１８、ＡＸＣレンズ１９は光軸１０を中心に回転可能に設けられている。ＸＣレンズ１７は歯車を持つホルダ１６１により回転可能に取り付けられる。オートクロスシリンダレンズ１９は歯車を持つホルダ１６８により回転可能に取り付けられている。ホルダ１６１及びホルダ１６８の歯車は、軸６を中心に回転する太陽歯車１７３と噛み合っており、太陽歯車１７３に連結した歯車１７４、中間歯車１７５を介してモータ１７６の回転がこれらのホルダ１６１、ホルダ１６８に伝達される。なお、ＸＣレンズ１８も同様の機構により、光軸１０を中心に回転可能に設けられている。
【００１４】
２０は検眼装置本体１から所定距離（例えば１ｍ程度）だけ離れた位置に置かれ、検査視標を被検者に呈示するための視標呈示装置である（図１では内部の概略構成を示している）。視標呈示装置２０は装置内部に種々の検査視標を提示する視標呈示手段２１、ビームスプリッタ２２、凹面ミラー２３等を備える。視標呈示手段２１によって出射される検査視標の光束は、ビームスプリッタ２２を透過した後、凹面ミラー２３で反射される。凹面ミラー２３で反射した視標光束は、ビームスプリッタ２２で反射され、窓２４を介して被検眼Ｅに向かう。
【００１５】
３０は、検眼装置本体１や視標呈示装置２０を検者が操作するための検者用コントローラである。図４において、検者用コントローラ３０の構成を示す。３１は検眼情報を表示するディスプレイである。３２は、スイッチ部であり、視標スイッチ群３３、プログラム検眼用のスタートスイッチ３４及び送りスイッチ３５、ファンクションスイッチ群３６、回転ダイヤル３７、マスクスイッチ３９等を備える。ファンクションスイッチ群３６は、ディスプレイ３０の画面下方の所定位置に表示される種々のスイッチ表示に対応したものを選択するときに使用する。回転ダイヤル３７は、球面度数、乱視度数、乱視軸角度及びＸＣレンズ１７等の軸角度を調整する時に用いられる。また、スイッチ３８ａ，３８ｂは、ＸＣレンズを使用した乱視検査時に、ＸＣレンズを反転させるために検者が操作する選択スイッチである。なお、本装置ではＸＣレンズを反転させるとは、ＸＣレンズの軸を９０度回転させることを言う。マスクスイッチ３９は、視標呈示装置２０にて呈示する視標にマスクをかけるためのスイッチである。
【００１６】
１００は被検者が操作するための被検者用コントローラである。被検者用コントローラ１００は、第一スイッチ１０１及び第二スイッチ１０２を備え、被検眼の乱視度数及び乱視軸の検査を行う時に用いる。被検者用コントローラ１００は、被検者の操作により、ＸＣレンズ１７又は１８を反転させる役割を有する。また、被検者用コントローラ１００には、スイッチ１０１，１０２を押したときの操作音や被検者へ検査方法を音声により説明するための音出力部１０３が設けられている。音声データは検者用コントローラ３０のメモリ４０に内蔵されている。音出力部１０３は検眼装置本体１側に設けておいても良い。
【００１７】
なお、６３は被検眼の屈折力を他覚的に測定する機能を有する他覚式眼屈折力測定装置である。以上示した、検眼装置本体１、視標呈示装置２０、検者用コントローラ３０、被検者用コントローラ１００、及び他覚式眼屈折力測定装置６３は、リレーユニット５０を介して接続されている。
【００１８】
以上のような構成を備える装置において、その動作を図５に示す制御系ブロック図及び図６のフローチャートをもとに説明する。まず、検者による検者用コントローラ３０の操作により、他覚式眼屈折力測定装置６３により得られた他覚値データが、リレーユニット５０を介して、検眼装置本体１へ入力される。他覚値データが入力されると、検眼装置本体１のマイクロコンピュータ部６２は、他覚値データに対応した矯正光学系を初期値として検査窓４にセットする。
【００１９】
他覚値データの入力ができたら、自覚検眼に移り、片眼測定の準備を行う。ここで、検者がスタートスイッチ３４を押すと、予めメモリ４０に記憶された検眼プログラムが実行される（図５参照）。
【００２０】
スタートスイッチ３４の信号により、まず、第１のＲ／Ｇ検査段階からスタートする。視標呈示装置２０にはマイクロコンピュータ部６０から視標に関する信号が送られ、その検査窓２４にはレッドグリーン視標が呈示される。また、検眼装置本体１には屈折力に関する信号が送られ、測定眼側の検眼窓４には初期値に対してＳ＋０．５Ｄ分が加える雲霧か掛けられる。検眼装置本体１の測定モードは、検眼プログラムに従って球面度数が変更可能なＳＰＨモードとされる。被検者には検眼窓４にセットされた矯正光学系を介してレッドグリーン視標を見させる。検者は被検者の応答を得て、赤と緑の文字が同程度となるように、回転ダイヤル３７を操作して球面度数を調整する。
【００２１】
検眼プログラムは送りスイッチ３５を押すことによって次の検査段階に移行される。第１のＲ／Ｇ検査終了後に送りスイッチ３５を押すと、ＸＣレンズ１７による乱視軸調整検査に進む（ＸＣレンズ１８でもよい）。この時、視標呈示装置２０には点群視標が呈示される。また、マイクロコンピュータ部６２は、検眼装置本体１の検査窓４にＸＣレンズ１７を配置するとともに、モータ１７６を回転駆動して、ＸＣレンズ１７のマイナス軸を他覚値データの乱視軸角度に応じて調整する（乱視軸調整検査では、ＸＣレンズ１７のマイナス軸を検査窓に配置された乱視レンズ１４０のマイナス軸に対して４５°に位置させる）。被検者には、コントローラ１００の第一スイッチ１０１及び第二スイッチ１０２を操作して見え方の比較をし、点群視標がはっきり見える方を選んでもらう旨を予め説明しておく。この説明は、マイクロコンピュータ部６０の制御により音出力部１０３からガイド音声が発生されるようにしても良い。
【００２２】
乱視軸調整検査では、検査窓に配置された乱視レンズ１４０のマイナス軸に対して、ＸＣレンズ１７のマイナス軸を４５度に位置させた状態が第一の状態である。この状態で、被検者が被検者用コントローラ１００の第二スイッチ１０２を押すと、マイクロコンピュータ６２は、その切換信号に基づいてＸＣレンズ１７の軸を９０度回転させ、第二の状態へと切換える。また、この第二の状態において、被検者が被検者用コントローラ１００の第一スイッチ１０１を押すと、マイクロコンピュータ部６２は、ＸＣレンズ１７を第二の状態から、ＸＣレンズ１７の軸を９０度回転する前の第一の状態へと切換えるようになっている。すなわち、第一スイッチ１０１が押されると、ＸＣレンズ１７は第一の状態となり、第二スイッチ１０２が押されると、ＸＣレンズ１７は第二の状態となる。したがって、被検者の被検者用コントローラ１００の操作により、ＸＣレンズ１７を第一の状態と第二の状態で切換えることが可能になる。
【００２３】
検者用コントローラ３０のマイクロコンピュータ部６０には、リレーユニット５０を介して、被検者用コントローラ１００からの信号が入力され、ディスプレイ３１の確認フレーム３１ａには、ＸＣレンズ１７が第一の状態であるか第二の状態であるかが表示される。図４では、ＸＣレンズ１７が第一の状態にあることを示している。これにより、検者は被検者によって切換えられるＸＣレンズ１７の反転状態を監視することができる。
【００２４】
また、被検者がスイッチ１０１，１０２を操作してＸＣレンズ１７が反転駆動されたときには、音出力部１０３からＸＣレンズ１７が正常に切換えられたことを知らせる音が出力される。一方、例えば、ＸＣレンズ１７が第一の状態であるときに、第一の状態に切換えるためのスイッチ１０１が押された時は、ＸＣレンズ１７が反転されてないことを警告するブザー音が出力される。これにより、被検者においてもＸＣレンズ１７の反転がなされた否かを知ることができる。
【００２５】
乱視軸を求める検査において、まず、被検者は、ＸＣレンズ１７が第一の状態にある場合において、視標呈示装置２０より呈示された点群視標を視認する。ここで、第一の状態における点群視標の見え方を確認後、被検者が第二スイッチ１０２を押すと、ＸＣレンズ１７が第二の状態となり、視標呈示装置２０により呈示された点群視標を視認する。これにより、被検者は、ＸＣレンズ１７が第一の状態にあった場合と第二の状態にあった場合との比較が可能となる。ここで、第二の状態の時がはっきり見えたと被検者が答えた場合には、検者は回転ダイヤル３７を時計方向に回すことで、乱視軸をマイナス方向へ調整する。逆に、第一の状態の時がはっきり見えたと被検者が答えた場合には、検者は回転ダイヤル３７を反時計方向に回すことで、乱視軸をプラス方向へ調整する。この時、検者用コントローラ１００の確認フレーム３１ａには、ＸＣレンズが第一及び第二の状態の何れにあるかが表示されるので、検者は容易にＸＣレンズの反転状態を確認でき、確実な検査を行うことが可能となる。
【００２６】
ここで、第一の状態と第二の状態を１回比較しただけでは、はっきりわからない時には、被検者はさらに第一スイッチ１０１を押すと、ＸＣレンズ１７が第一の状態となるので、改めて確認することができる。このようにして、被検者は、被検者自信のタイミングでＸＣレンズの反転を行うことが可能となる。
【００２７】
以上のように、ＸＣレンズ１７の反転による点群視標の見え方が同じになるまで行うことにより、乱視軸が調整される。乱視軸の決定後、送りスイッチ３５を押すと、乱視度数調整検査段階に移る。引き続き、視標呈示装置２０には点群視標が呈示される。乱視度数調整検査では、検査窓に配置された乱視レンズ１４０のマイナス軸に対して、ＸＣレンズ１７のマイナス軸を９０度に位置させた状態が第一の状態とされる。この第一の状態に対して、ＸＣレンズ１７を９０度回転した状態が第二の状態とされる。この乱視度数調整においても、被検者は自分でコントローラ１００を操作することにより、被検者自身のタイミングでＸＣレンズ１７を反転動作させることができる。また、ディスプレイ３１には、乱視軸調整時と同じく、ＸＣレンズ１７の反転状態が表示されるので、検者は被検者の操作状態を監視できる。
【００２８】
上記の被検者用コントローラ１００のスイッチ構成において、第一スイッチ１０１と第二スイッチ１０２を備えた構成としたが、単一スイッチのみであっても同様の効果を奏することができる。単一スイッチの場合、一回の入力ごとに、ＸＣレンズが第一の状態と第二の状態で切り換わるようにすればよい。また、第一スイッチ１０１と第二スイッチ１０２に加え、第三のスイッチを設け、第一の状態と第二の状態が同じに見えたことを応答するための応答スイッチとして用いるようにしてもよい。また、ジョイスティック型のコントローラとして、複数ある入力方向の中から所定の２方向の入力信号を使って、第一スイッチ１０１と第二スイッチ１０２の機能を持たせるようにしてもよい。
【００２９】
乱視度数調整検査の終了後、送りスイッチ３５を押すと、第二のＲ／Ｇ検査に移る。第一のＲ／Ｇ検査の時と同様に、視標呈示装置２０にはレッドグリーン視標が呈示され、測定モードはＳＰＨモードとされる。測定ユニット１０の球面度数には＋０．５０Ｄ分の雲霧が掛けられる。そして、赤と緑の文字が同程度となるように、回転ダイヤル３７の操作により球面度数を調整する。
【００３０】
第２のＲ／Ｇ検査を実施後、送りスイッチ３５を押すことによって、検査は次の検査項目である視力検査に移る。視標呈示装置２０には横マスクが掛けられた視力値１．０の視標が呈示される。検者はマスクスイッチ３９の操作により、被検者が視認できる最高視力を確認する。マスクスイッチ３９の操作により、視標呈示装置２０のマスクされる視力値視標が変えられる。そして、最高視力が決まったところで、回転ダイヤル３７の操作により球面度数を調整し、最もプラスよりで最高視力となる球面度数として片眼の完全矯正値を決定する。
【００３１】
以上のような被検者用コントローラ１００のスイッチ構成において、第一スイッチ１０１と第二スイッチ１０２の二つを備えた構成とすれば、以下の応用が可能となる。例えば、Ｒ／Ｇ検査段階において、赤と緑の文字のどちらがはっきり見えるかの応答を被検者用コントローラ１００の信号により行う。この場合、例えば、第一スイッチ１０１を緑色に対応させ、第二スイッチ１０２を赤色に対応させ、スイッチを兼用する。なお、第一スイッチ１０１と第二スイッチ１０２の色を、緑と赤にしておくとよい。Ｒ／Ｇ検査段階においては、被検者が第二スイッチ１０２を選択すると、その操作信号はマイクロコンピュータ部６０，６２に送られる。マイクロコンピュータ部６２は、Ｒ／Ｇ検査段階に切換えられた切換信号（検眼プログラムによる検査では、送りスイッチ３５で切換え信号が入力される）と、第二スイッチ１０２の信号に基づいてモータ１８ａ，１８ｂを駆動制御し、検査窓４に配置されている球面度数に対して−０．２５Ｄを加える度数調整を行う。第一スイッチ１０１が選択されると、マイクロコンピュータ部６２は、検査窓４に配置されている球面度数に対して＋０．２５Ｄを加える度数調整を行う（図７参照）。被検者には、赤と緑の文字が同程度になるまで、被検者自身でコントローラ１００を操作してもらうことにより、検者は同じ質問を繰り返すことはなく、効率的に検査を進めることができる。なお、ディスプレイ３１の確認フレーム３１ａには、図４で示したものと同様に、被検者が何れを選択したが表示される。これにより、検者は被検者の操作を監視できる。
【００３２】
さらにまた、最高視力を確認する時の視力検査段階において、読める読めないの応答を被検者用コントローラ１００のスイッチ１０１，１０２の操作信号により行う構成としても良い。この場合、第一スイッチ１０１を読める場合に対応させ、第二スイッチ１０２を読めない場合に対応させる。例えば、第一スイッチ１０１が選択されると、その選択信号はマイクロコンピュータ部６０，視標呈示装置２０のマイクロコンピュータ部６１に送られる。マイクロコンピュータ部６１は、視力検査段階への切換信号と第一スイッチ１０１の信号とに基づいて、現在呈示の視力値に対して１段階上の視力値を持つ視標（横マスクが掛けられた視標）を呈示するように視標呈示手段２１を駆動制御する。第二スイッチ１０２が選択されると、マイクロコンピュータ部６１は、現在呈示の視力値に対して１段階下の視力値を持つ視標を呈示するように視標呈示手段２１を駆動制御する（図８参照）。そして、最終的に呈示された視標の視力値が、その被検眼の最高視力として決定される。このとき、ディスプレイ３１の確認フレーム３１ａの表示は、被検者が選択した視力値に切換えられる。これにより、検者は被検者の選択状況を監視できる。このように、被検者用コントローラ１００の信号を応用することにより、さらに効率的な自覚検査を行うことが可能となる。なお、この視力値の決定においては、被検者が２つの視力値間で複数回（例えば、３回以上）上下させた場合には、最高視力値を低い方の視力値として自動的に決定することでも良い。被検者が判読に迷う場合があるので、その場合には検査を長引かせないために、自動的に決定する。また、ランドルド環を使った視力検査等を行うような場合、被検者用コントローラ１００の第一スイッチ１０１と第一スイッチ１０２に加え、４方向又は８方向の信号入力が可能なジョイスティックを設け、これによりランドルド環の切れ目方向を選択できるようにしてもよい。
【図面の簡単な説明】
【００３３】
【図１】本実施形態の検眼システム全体の構成を簡単に説明するための概略図である。
【図２】左眼測定用のレンズ室ユニットを上側から見た部分断面図である。
【図３】ディスクに設けられた光学素子の回転機構を説明する図である。
【図４】検者用コントローラの構成を説明する図である。
【図５】本実施形態の検眼システム全体の制御系ブロック図である。
【図６】本実施形態の検眼システム全体の動作を説明するフローチャートである。
【図７】Ｒ／Ｇ検査に応用した時の例を示すフローチャートである。
【図８】視力検査に応用した時の例を示すフローチャートである。
【符号の説明】
【００３４】
１  検眼装置本体
１７、１８  クロスシリンダレンズ
３０  検者用コントローラ
３１ａ  確認フレーム
１００  被検者用コントローラ
１０１  第一スイッチ
１０２  第二スイッチ
１７６  モータ
【図１】
2006015083.tif 000003
【図２】
2006015083.tif 000004
【図３】
2006015083.tif 000005
【図４】
2006015083.tif 000006
【図５】
2006015083.tif 000007
【図６】
2006015083.tif 000008
【図７】
2006015083.tif 000009
【図８】
2006015083.tif 000010